(57)【要約】【課題】任意数を組み合わせて使用できるのは勿論、通常のデスクワーク用としても好適に用いる。【解決手段】天板２が、手前側の直線状端縁４と奥側の直線状端縁５とが互いに平行をなす平板部６と、この平板部の一側に連なって円弧状に張り出す円弧状凸部７とからなっている。平板部の他側に円弧状凸部７の周縁７ａの曲率と同一の曲率を有する円弧凹部８が形成されている。円弧状凸部７の直径Ｌは、平板部の幅寸法Ｗよりも大きく設定されている。【選択図】    図１
2004357927.tif 000002
【特許請求の範囲】
【請求項１】
天板が、手前側の端縁と奥側の端縁とが互いに平行をなす平板部と、該平板部の一側に連なって円弧状に張り出す円弧状凸部とからなり、
前記平板部の他側に、前記円弧状凸部の周縁の曲率と同一の曲率を有する円弧凹部が形成されていることを特徴とする組み合わせ用テーブル。
【請求項２】
前記円弧状凸部の直径は、前記平板部の幅寸法よりも大きく設定されていることを特徴とする請求項１記載の組み合わせ用テーブル。
【請求項３】
前記平板部の手前側の端縁は、前記円弧状凸部の周縁の接線に沿うように形成されていることを特徴とする請求項２記載の組み合わせ用テーブル。
【発明の詳細な説明】
【０００１】
【発明の属する技術分野】
本発明は組み合わせ用テーブルに関する。
【０００２】
【従来の技術】
組み合わせ用テーブルとして、天板を、円形部と、円形部の側縁から突出する突出部とにより形成し、突出部の一方の側縁に円形部の周縁の曲率と同一曲率の凹入部を設けたものがある（例えば、特許文献１参照）。
この組み合わせ用テーブルによれば、互いに対応する円形部と突出部の凹入部とを突き合わせることにより、隣り合う組み合わせ用テーブルどうしを一定の範囲にわたって隙間なく突き合わせることができ、これにより、任意数（例えば、３〜６個）の組み合わせ用テーブルを、互いに同芯状となるよう周方向に並べて配置させることができ、人数を特定しないグループ学習用として、特に好適に用いられる。
【０００３】
【特許文献１】
特開平１０−２８６１２５号公報（第２頁、図１）
【０００４】
【発明が解決しようとする課題】
前記の組み合わせ用テーブルにあっては、複数人での主に会議用あるいは打ち合わせ用とし用いる場合には何ら支障ないものの、該テーブルを、読書用あるいはコンピュータ作業用等、通常のデスクワーク用として用いるには、テーブルの周縁が曲線になっていることから、使い勝手が悪いという欠点があった。
【０００５】
本発明は上記事情に鑑みてなされたもので、その目的とするところは、任意数を組み合わせて使用できるのは勿論、通常のデスクワーク用としても好適に用いられる組み合わせ用テーブルを提供することにある。
【０００６】
【課題を解決するための手段】
請求項１記載の組み合わせ用テーブルは、天板が、手前側の端縁と奥側の端縁とが互いに平行をなす平板部と、該平板部の一側に連なって円弧状に張り出す円弧状凸部とからなり、前記平板部の他側に、前記円弧状凸部の周縁の曲率と同一の曲率を有する円弧凹部が形成されていることを特徴としている。
この発明に係る組み合わせ用テーブルによれば、隣り合う組み合わせ用テーブルどうしの円弧状凸部と平板部の円弧凹部を突き合わせることにより、隙間なくまた、任意の角度でそれら両組み合わせようテーブルを突き合わせることができ、数に限定されることなく、複数の組み合わせ用テーブルを自由な形で組み合わせることができる。また、手前側の端縁と奥側の端縁とが互いに平行をなす平板部を有しており、長方形状のテーブルと同じ使いかたができるため、使い勝手がよい。
【０００７】
請求項２記載の組み合わせ用テーブルは、請求項１記載のものにおいて、前記円弧状凸部の直径が、前記平板部の幅寸法よりも大きく設定されていることを特徴としている。
この発明に係る組み合わせ用テーブルによれば、円弧状凸部の直径を平板部の幅寸法よりも大きく設定されているので、隣接する組み合わせ用テーブル同士を互いの平板部が鋭角をなすように配置して組みあわせること等のテーブルの配置自由度が高まる。このため、例えば、３個の組み合わせ用テーブルを互いに１２０度づつずらして突き合わして配置させることも可能である。
【０００８】
請求項３記載の組み合わせ用テーブルは、請求項２記載のものにおいて、前記平板部の手前側の端縁が、前記円弧状凸部の周縁の接線に沿うように形成されていることを特徴としている。
この発明に係る組み合わせ用テーブルによれば、手前側の端縁が直線状となっており、出っ張り部分がないので使い勝手をより一層高まる。
【０００９】
【発明の実施の形態】
以下、本発明に係る組み合わせ用テーブルの実施の形態について、図面を参照して説明する。
【００１０】
図１は本発明に係る組み合わせ用テーブルを示す平面図である。図に示すように、組み合わせ用テーブル１は、天板２と、天板を支持する脚３とからなっている。なお、図に示すように、ここでは、脚３として４本組のものを用いてとしているが、これに限られることなく、脚は、３本組あるいは５本組以上のものであっても良く、あるいは、下端が拡がる只一本のものであってもよい。
【００１１】
天板２は、手前側の直線状端縁４と奥側の直線状端縁５とが互いに平行をなす平板部６と、この平板部６の一側に連なって円弧状に張り出すように設けられる円弧状凸部７とからなっている。なお、ここで示す組み合わせ用テーブルでは、図１に示すように椅子Ｃが置かれる側を手前側、その逆側を奥側と定める。
【００１２】
平板部６の他側には、円弧状凸部７の周縁７ａの曲率と同一の曲率を有する円弧凹部８が形成されている。
【００１３】
前記円弧状凸部７の直径Ｌは、前記平板部６の幅寸法Ｗよりも大きく設定されている。例えば、平板部６の幅寸法Ｗを４５０ｍｍとしたとき、円弧状凸部７の直径Ｌを６００ｍｍに設定してある。また、平板部６の手前側の直線状端縁４は、円弧状凸部７の周縁の接線に沿うように形成されており、円弧状凸部７の周縁が平板部６の手前側の直線状端縁４よりも前方へ張り出さないようになっている。
【００１４】
また、円弧状凸部７の周縁７ａの円弧中心７ｂと円弧凹部８の周縁の円弧中心８ａとを結ぶ線Ｋが、平板部６の手前側の直線状端縁４並びに奥側の直線状端縁５とそれぞれ平行となるように設定されている。
【００１５】
次に、前記組み合わせ用テーブル１の組み合わせ方法について説明する。組み合わせ用テーブル１は、単独でも使用できるのは勿論、図２に示すように、３個〜６個組としてそれぞれ互いに同芯状に配置して使用することも可能である。
例えば、図２（ａ）に示すものを例に挙げれば、互いに隣り合う組み合わせ用テーブル１どうしの円弧状凸部７の周縁７ａと、平板部６の円弧凹部８の周縁を突き合わせることにより、３個の組み合わせ用テーブル１を隙間を形成することなく、周方向に同角度（１２０度）置きに配置した形態で使用することができる。また、この組み合わせた後のテーブルは、平板部６の左右両側に円弧状凸部７，７が位置することとなり（そのうち一方は、平板部６と一体に設けられたもの、他方は隣接する他の組み合わせ用テーブル１のもの）、一つの平板部６を基準として見たときに左右対称となることから、使い勝手がよくなる。
【００１６】
なお、図２（ｂ）では４個、図２（ｃ）では５個、図２（ｄ）では６個、それぞれ組み合わせ用テーブル１を組み合わせた例を示している。
【００１７】
図３は、複数の組み合わせ用テーブル１を用い、それらを単に同芯状に配置するのに止まらず、任意に配置した例である。この場合にも、組み合わせ用テーブル１の円弧状凸部７の周縁７ａと、平板部６の円弧凹部８の周縁を突き合わせる点は、前記図２に示した例と同様である。また、この例では、接続用として組み合わせ用テーブルの円弧状凸部７と同径の丸テーブル１０を用いている。さらにここでは、一つの組み合わせ用テーブル１の円弧状凸部７の周縁７ａに対し、２個の組み合わせ用テーブルを、それらの平板部６の円弧凹部８の周縁を突き合わせて配置している。このように配置することにより、組み合わせ用テーブル１の組み合わせパターンが格段に拡がり、様々な形態での組み合わせが可能となる。この例で示すように、円弧状凸部７の周縁７ａの長さを、平板部６の円弧凹部８の周縁の長さの２倍以上に設定すれば、一つの組み合わせテーブル１の円弧状凸部７に２個以上の組み合わせ用テーブル１を突き合わせて接合することができ、組み合わせのバリエーションが格段に広がる。
【００１８】
【発明の効果】
以上説明したように、本発明によれば以下の優れた効果を奏する。
請求項１記載の組み合わせ用テーブルによれば、隣り合う組み合わせ用テーブルどうしの円弧状凸部と平板部の円弧凹部を突き合わせることにより、隙間なくまた、任意の角度でそれら両組み合わせ用テーブルを突き合わせることができ、数に限定されることなく、複数の組み合わせ用テーブルを自由な形で組み合わせることができる。また、平板部の手前側の端縁と奥側の端縁とが互いに平行をなしているので、長方形状のテーブルと同じような使いかたができ、使い勝手がよくなる。
【００１９】
請求項２記載の組み合わせ用テーブルによれば、円弧状凸部の直径を平板部の幅寸法よりも大きく設定しているので、隣接する組み合わせ用テーブル同士を平板部の端縁が９０度以下の鋭角をなすように配置して組みあわせることができ、このため、例えば、３個の組み合わせ用テーブルを互いに１２０度づつずらして突き合わせて配置することも可能である。
【００２０】
請求項３記載の組み合わせ用テーブルによれば、手前側の端縁が直線状となっており、出っ張り部分がないので使い勝手がさらによくなる。
【図面の簡単な説明】
【図１】本発明に係る組み合わせ用テーブルの実施の形態を示す平面図である。
【図２】本発明に係る組み合わせ用テーブルを複数組み合わせて使用した例を示す平面図である。
【図３】本発明に係る組み合わせ用テーブルを複数他の形態で組み合わせた例を示す平面図である。
【符号の説明】
１    組み合わせ用テーブル
２    天板
３    脚
４  手前側の直線状端縁
５  奥側の直線状端縁
６  平板部
７  円弧状凸部
８  円弧凹部
Ｗ  平板部の幅寸法
Ｌ  円弧状凸部の直径
【図１】
2004357927.tif 000003
【図２】
2004357927.tif 000004
【図３】
2004357927.tif 000005